(57)【要約】      （修正有）【課題】医療行為などの障害とならないコンパクトな医療用呼吸器用のガス残圧警報器を提供する。【解決手段】ガス残量警報器は、圧力容器に充填される呼吸用気体の圧力容器内の圧力が予め定める値以下に低下したとき、弁口を開放して呼吸用気体を放出することにより警報音を発生するガス残圧警報器であって、弁口４６を有する弁座部４５によりホイッスル室５５とプランジャ室５４に分割された円筒状の警報器本体２３を備え、ホイッスル室には、呼吸用気体の放出により警報音を発するホイッスル２６が設けられ、プランジャ室には、円筒状の軸方向に移動自在なプランジャ２２と、プランジャを弁座部と逆方向に付勢するバネ２７が挿入されている。【選択図】図５
0003206585.tif 000002
【実用新案登録請求の範囲】
【請求項１】
圧力容器に充填される呼吸用気体が導かれ、圧力容器内の圧力が予め定める値以下に低下したとき、弁口を開放して呼吸用気体を放出することにより警報音を発生するガス残圧警報器であって、
弁口を有する弁座部によりホイッスル室とプランジャ室とに分割された円筒状の警報器本体を備え、
前記ホイッスル室には、前記呼吸用気体の放出により警報音を発するホイッスルが設けられ、
前記プランジャ室には、前記円筒状の軸方向に移動自在なプランジャと、該プランジャを前記弁座部と逆方向に付勢するバネと、が挿入された、ガス残圧警報器。
【請求項２】
前記プランジャは、
前記プランジャ室の内壁に気密に接する胴部と、
前記胴部の前記弁座部に面する一端に、前記プランジャ室の内壁の直径よりも細い直径を有する先端部と、
前記胴部の他端に、前記プランジャ室の内壁に気密に接し、前記胴部より太いバネ受け部と、
を有する請求項１に記載のガス残圧警報器。
【請求項３】
前記プランジャは、更に、
前記バネ受け部側の底面から前記先端部の位置まで達する通気孔と、
前記通気孔の先端から前記先端部の側面に開口する先端口と、
を有する請求項２に記載のガス残圧警報器。
【請求項４】
前記バネは、前記胴部の外周に配置されている、請求項２又は請求項３に記載のガス残量警報器。
【請求項５】
前記先端部の前記弁座部に面する面には樹脂製のパッキングが設けられている、請求項２〜４のいずれか一項に記載のガス残量警報器。
【請求項６】
前記先端部の前記弁座部に面する一端は、円錐台状の円錐台部である請求項２〜４のいずれか一項に記載のガス残圧警報器。
【請求項７】
前記円錐台部の側面にはゴム製のシール材が設けられている、請求項６に記載のガス残圧警報器。
【請求項８】
前記シール材は、アクリロ二トリルブタジエンゴムである、請求項７に記載のガス残圧警報器。
【請求項９】
前記バネは、皿バネである、請求項１〜８のいずれか一項に記載のガス残量警報器。
【考案の詳細な説明】
【技術分野】
【０００１】
本考案は、酸素などの呼吸用気体が充填される圧力容器内の圧力が低下したことを警報音によって報知する医療用呼吸器のガス残圧警報器に関するものである。
【背景技術】
【０００２】
医療現場において、患者を病院内で移動する際や手術室、病人や怪我人を救急車で搬送する際などに、患者などが十分な酸素を吸気できるよう、呼吸用酸素が供給される呼吸器が患者に装着され、また、必要に応じて人工呼吸器、麻酔器、又は心マッサージ器などの各種医療機器（以下、単に各種医療用機器とも呼ぶ）が使用される。
【０００３】
この呼吸器は、呼吸用酸素が充填される圧力容器、この圧力容器に接続される圧力調整器、呼吸用酸素の流量を調整する流量調整器、および圧力容器内の呼吸用酸素が圧力調整器及び流量調整器を介して供給されるマスクからなる。また、圧力容器内の酸素が、圧力調整器を介して、各種医療用機器の駆動用源として供給される。しかしながら、医療従事者や救急隊員は、使用中の圧力容器内の呼吸用酸素の残量を圧力調整器に取り付けられた圧力計で目視確認する必要があり、医療行為に集中する必要があるにもかかわらず、常に圧力容器内の呼吸器用酸素の残量を目視確認しなければならず、煩雑であり、圧力容器内の圧力が予め定める値以下に低下したときに警報音を発生する警報器が求められていた。
【０００４】
一方、消防隊員などが火災現場などで使用する呼吸器には、圧力容器内の圧力が予め定める値以下に低下したときに警報音を発生する警報器が取り付けられている。このような警報器として、例えば特許文献１には、圧力容器内に充填される呼吸用気体が導かれ、圧力容器内の圧力が予め定める値以下に低下したとき、弁孔を開放して呼吸用気体を放出し、警報音を発生する呼吸器の警報器であって、呼吸用気体の放出位置に臨んでエッジ状のリード部が形成される筒状部材からなる警報器が開示されている。しかしながら、この警報器は、その全長が長く、限られた空間の中で行われる医療行為や患者などの搬送などには、医療従事者などや周囲の装置などに警報器が接触するなど、邪魔になり、不向きであった。
【先行技術文献】
【特許文献】
【０００５】
【特許文献１】特開２００９−２４７４９６号公報
【考案の概要】
【考案が解決しようとする課題】
【０００６】
本考案は、医療行為などにおいて邪魔にならないコンパクトな医療用呼吸器用のガス残圧警報器を提供することを課題とする。
【課題を解決するための手段】
【０００７】
本考案に係るガス残圧警報器は、圧力容器に充填される呼吸用気体が導かれ、圧力容器内の圧力が予め定める値以下に低下したとき、弁口を開放して呼吸用気体を放出することにより警報音を発生するガス残圧警報器であって、
弁口を有する弁座部によりホイッスル室とプランジャ室に分割された円筒状の警報器本体を備え、
ホイッスル室には、呼吸用気体の放出により警報音を発するホイッスルが設けられ、
プランジャ室には、円筒状の軸方向に移動自在なプランジャと、プランジャを弁座部と逆方向に付勢するバネが挿入された、ガス残圧警報器である。
【０００８】
本考案によれば、医療用呼吸器を患者に装着して患者に酸素を吸引させる際に、圧力容器内の気体の量が減り、ガス残圧が設定圧力より低くなると、ホイッスルが鳴動し警報音が発生する。これにより、医療従事者や救急隊員は、圧力容器内の呼吸用気体の残量が少なくなったことを知り、圧力容器を交換し、患者に呼吸用酸素を連続的に供給することができる。
【０００９】
本考案に係るガス残圧警報器のプランジャは、プランジャ室の内壁に気密に接する胴部と、
胴部の前記弁座部に面する一端に、プランジャ室の内壁の直径よりも細い直径を有する先端部と、
胴部の他端に、プランジャ室の内壁に気密に接し、胴部より太いバネ受け部と、を有するガス残圧警報器である。
【００１０】
本考案によれば、所定の設定圧力よりガス残圧が低下したときに、ホイッスルを鳴動する気体を供給するべく、プランジャを移動することができる。
【００１１】
本考案に係るガス残圧警報器のプランジャは、更に、バネ受け部側の底面から、先端部の位置まで達する通気孔と、
通気孔の先端から先端部の側面に開口する先端口と、を有するガス残圧警報器である。
【００１２】
本考案によれば、所定の設定圧力よりガス残圧が低下したときに、ホイッスルを鳴動する気体を放出することができる。
【００１３】
本考案に係るガス残圧警報器のバネは、プランジャの胴部の外周に配置されている、ガス残量警報器である。
【００１４】
本考案によれば、警報器の全長を短くすることができる。
【００１５】
本考案に係るガス残圧警報器の先端部に面する面には、樹脂製のパッキングが設けられている、ガス残量警報器である。
【００１６】
本考案によれば、所定の設定圧力にガス残圧が低下するまで、気密性が保たれ、ホイッスルが鳴動することはない。
【００１７】
本考案に係るガス残量警報器のプランジャの先端部の弁座部に面する一端は、円錐台状の円錐台部であるガス残圧警報器である。
【００１８】
本考案によれば、プランジャのより広い部分がプランジャ室の内壁と当接し、繰り返しプランジャとプランジャ室の内壁が当接しても、気密性が劣化することがない。
【００１９】
本考案に係るプランジャの円錐台部の側面にはゴム製のシール材が設けられている、ガス残圧警報器である。
【００２０】
本考案によれば、気密性により優れており、経時変化することなく、気密性を保つことができる。
【００２１】
本考案に係るシール材は、アクリロ二トリルブタジエンゴムである、ガス残圧警報器である。
【００２２】
本考案によれば、良好なガス気密性を得られる。
【００２３】
また、本考案に係るガス残圧警報器のバネは、皿バネである、ガス残量警報器である。
【００２４】
本考案によれば、ガス残圧警報器の全長を更に短くすることができる。
【図面の簡単な説明】
【００２５】
【図１】図１は、本実施形態に係るガス残圧警報器が装着された警報器付医療用圧力調整器を酸素ボンベに取りつけた医療用呼吸器を示す斜視図である。
【図２】図２は、本実施形態に係るガス残圧警報器が装着された警報器付医療用圧力調整器の外観図である。
【図３】図３は、本実施形態に係るガス残圧警報器の外観図である。
【図４】図４は、本実施形態に係るガス残圧警報器が装着された警報器付医療用圧力調整器を酸素ボンベに取りつけた医療用呼吸器の模式的系統図である。
【図５】図５は、本実施形態に係る、ガス残圧警報器の通常時における内部状態を示す断面図である。
【図６】図６は、本実施形態に係る、ガス残圧警報器の警報時における内部状態を示す断面図である。
【図７】図７は、変形例に係る、ガス残圧警報器の通常時における内部状態を示す断面図である。
【図８】図８は、変形例に係る、ガス残圧警報器の警報時における内部状態を示す断面図である。
【考案を実施するための形態】
【００２６】
以下、本考案の一実施形態を、説明する。
【００２７】
図１に、本実施形態に係る医療用呼吸器（以下、単に呼吸器ともいう）１の構成を示す。呼吸器１は、酸素ボンベ３、警報器付医療用圧力調整器（以下、単に圧力調整器とも呼ぶ）２、流量調整器（不図示）及びマスク（不図示）を備える。なお、呼吸器から供給される呼吸用気体は、酸素に限られず、空気であっても良い。
【００２８】
図２に、圧力調整器２の外観を示す。圧力調整器２は、ボンベハンドル４、酸素ヨーク６、圧力調整器本体８、安全弁９、ガス吐出口１０、ガス残圧警報器５及び圧力計７を備える。圧力調整器２は、ボンベハンドル４と酸素ヨーク６により酸素ボンベ３に固定されている。なお、圧力調整器２は、酸素ボンベ３に脱着バルブ（不図示）を介して固定されても良い。圧力調整器本体８は、ボンベ継手（不図示）を介して酸素ボンベ３に接続され、圧力調整器本体８の他側には圧力計７、ガス残圧警報器５、安全弁９及びガス吐出口１０が接続されている。ガス吐出口１０は、流量調整器（不図示）及び給気管（不図示）を介してマスク（不図示）に接続する。なお、圧力調整器２は、圧力調整器本体８とガス吐出口１０の間に、流量調整器が組み込まれていても良い。また、人工呼吸器（不図示）、麻酔器（不図示）又は心マッサージ器（不図示）などの各種医療用機器に酸素を供給するときは、ガス吐出口１０は、給気管（不図示）を介して、それらのいずれかに接続する。一方、何らかの原因により圧力調整後の圧力が異常に上昇した場合には、安全弁９より酸素を放出する安全機構が組み込まれている。
【００２９】
図３に、ガス残圧警報器（以下、単に警報器ともいう）５の外観を示す。警報器５は、圧力調整器２に気密に接続する継手２１と、圧力調整器２に気密に接続し、継手２１に設けられた通気管４１（図５及び図６参照）から導かれる酸素の圧力Ｐが予め定める値Ｐ１以下に低下したとき、弁口４６（図５及び図６参照）を開放して酸素を放出する警報器本体２３と、警報器本体２３に軸線方向一端部に装着され、放出された酸素により鳴動するホイッスル２６（図５及び図６参照）と、を含む。
【００３０】
酸素の圧力Ｐは、例えば、１９．６ＭＰａであり、また、予め定める値Ｐ１は、例えば、３ＭＰａである。病院内で使用されるボンベの中で小型の２Ｌボンベの酸素を、例えば、マスクに１０Ｌ／ｍｉｎと警報器に５L/ｍｉｎで消費すると、３ＭＰａでホイッスルが鳴動し警報音を発生してから、残量がゼロになるまでに３．２分要する。この間に、いったん酸素の供給を止め、酸素ボンベを交換することができる。一方、手術室において使用されることが多い３．４Ｌボンベであれば、残量がゼロになるまでにより長い時間がかかり、酸素ボンベを交換するために十分な時間を確保することができる。
【００３１】
図４に、呼吸器１の模式系統図を示す。同図において、実線は酸素ボンベ３内の高圧力が直接作用する高圧ラインを、破線は圧力調整器本体８により減圧された後の低圧力ラインを示す。酸素ボンベ３内の酸素は、酸素ヨーク６を経て圧力調整器本体８に導かれ、例えば、０．４５ＭＰａに減圧される。減圧後の酸素は、ガス吐出口１０を介してマスクに導かれ、患者に吸気される。また、各種医療用機器の駆動源として供給する場合には、減圧後の酸素を、ガス吐出口１０を介して、それらに供給する。
【００３２】
一方、減圧前の高圧力の酸素はガス残圧警報器５と圧力計７へ導かれ、酸素ボンベ３内の圧力Ｐが予め定める値Ｐ１以下に低下すると、ホイッスル２６が鳴動し警報音を発する。
【００３３】
図５及び図６は、警報器５の断面図である。ただし、図５は、プランジャ２２によって弁口４６が閉鎖された状態を示し、図６は、プランジャ２が弁口４６から離反して弁口４６が開放された状態を示す。
【００３４】
継手２１には、通気管４１が貫通し、酸素を警報器本体２３に導く。一方、警報器本体２３は、Ｏリング２９を介して、継手２１に気密に螺着している。警報器本体２３には、円筒状であって、その内部は、弁口４６を有する弁座部４５により区切られて、継手２１側にプランジャ室５４とその反対側にホイッスル室５５が形成さている。プランジャ室５４の継手２１側（入り口側）約半分の内径は、他方側（奥側）約半分の内径よりも大きくなっている。また、プランジャ室５４には、円筒状の軸方向に自由に移動するにプランジャ２２がＯリング２８，３２を介して気密に挿入されている。
【００３５】
プランジャ２２は、継手２１に臨む側から、バネ受け部５３、胴部５２、先端部５１が形成され、それらの直径は、順次、細くなっている。先端部５１は、プランジャ室５４の奥側の内径よりも細く、先端部５１とプランジャ室５４の内壁との間に間隙が設けられている。一方、胴部５２は、プランジャ室５４の奥側の内壁とОリング４３を介して気密が保てる直径となっている。そして、バネ受け部５３は、プランジャ室の入り口側の内壁とОリング２８を介して気密が保てる太さとなっている。
【００３６】
また、プランジャ２２の胴部５２のバネ受け部５３側には、プランジャ２２を付勢し、プランジャ室５４の入り口方向にプランジャ２２を移動させる皿バネ２７がその外周に４枚配置されている。なお、皿バネ２７の枚数は、プランジャ２２を所定圧力で付勢することができればよく、４枚に限られず、また、皿バネでなくとも、例えば、弦巻バネや板バネであっても良い。
【００３７】
プランジャ２２には、プランジャ２２の継手２１に臨んで通気管４１から酸素が導かれる通気孔４２が、先端部５１の位置にまで削孔されている。通気孔４２の先端は、先端口４３が先端部５１の側面に開口し、通気４１から導かれた酸素が、先端部５１とプランジャ室５４の内壁との間に設けられた間隙に流入している。
【００３８】
また、プランジャ２２の先端には、樹脂製のパッキング４４が装着されている。パッキング４４は、例えば、気密性（酸素の漏れ防止）に優れたウレタン樹脂若しくはポリテトラフルオロエチレン（ＰＴＦＥ）樹脂、又は、寸法安定性、圧縮強さなどの機械的特性が優れたナイロン樹脂若しくはポリクロロトリフルオロエチレン(３フッ化)（ＰＣＴＦＥ）樹脂であれば、好ましい。
【００３９】
なお、継手２１、警報器本体２３、及びプランジャ２２は、金属材料からなり、ステンレス又は黄銅であれば、加工性に優れ好適である。
【００４０】
一方、ホイッスル室５５には、弁座部４５側から、Ｏリング２４、３１を介して、絞りねじ３０、ホイッスル２６が気密に設けられている。また、ホイッスル２６は、衝撃防止用のカバー２５によって保護されている。
【００４１】
酸素の圧力が予め定める値Ｐ１以上であれば、プランジャ２２は、酸素の圧力により弁座部４５に押し付けら、弁口４６を閉鎖している。なお、プランジャ２２が弁座部４５と樹脂製のパッキング４４を介して当接すると、気密性が増し、好ましい。
【００４２】
一方、呼吸器１を使用中に酸素ボンベ３の圧力が酸素の消費により減少し、例えば３ＭＰａ以下に低下すると、通気管４１から酸素の圧力に抗して、皿バネ２７のバネの力によってプランジャ２２が継手２１側に押され、これによってプランジャ２２が弁座部４５から離れ、弁口４６が開き、通気管４１からの酸素が、通気孔４２、先端口４３及び弁口４６を経て、ホイッスル室５５に流入し、絞りねじ３０からホイッスル２６に向けて噴出する。これにより、警報音が発生し、酸素ボンベ３の酸素残量が少なくなったことを知ることができる。
【００４３】
図７及び図８は、変形例に係る呼吸器１における警報器５の断面図である。ただし、図７は、プランジャ２２によって弁口４６が閉鎖された状態を示し、図８は、プランジャ２が弁口４６から離反して弁口４６が開放された状態を示す。
【００４４】
本変形例に係るプランジャ室の５１の他方側（奥側）の弁座部４５に面する円錐部４７は、弁座部４５に向かって内径が細くなる円錐状を呈している。
【００４５】
一方、本変形例に係るプランジャ２２の先端部５１の弁座部４５に面する一端の円錐台部４８は、プランジャ室５４の内壁に従い、奥に向かって細くなる円錐台状となっている。また、プランジャ２２の円錐台部４８の壁面には、ゴム製のシール材４９が装着されている。シール材４９は、例えば、気密性（酸素の漏れ防止）に優れたアクリロニトリルブタジエンゴム製のＯリングであれば、好ましい。但し、気密性に優れていれば、他の合成ゴムであっても良く、アクリロニトリブタジエンゴムに限られない。
【００４６】
酸素の圧力が予め定める値Ｐ１以上であれば、プランジャ２２は、酸素の圧力によりプランジャ―室５４の円錐部４７の内壁と弁座部４５とに押し付けられ、弁口４６を閉鎖している。なお、プランジャ２２がプランジャ室５４の円錐部４７の内壁にシール材４９を介して当接すると、気密性が増し、好ましい。
【００４７】
一方、呼吸器１を使用中に酸素ボンベ３の圧力が酸素の消費によって減少すると、皿バネ２７の力によってプランジャ２２が継手２１側に押され、これによってプランジャ２２がプランジャ室５４の円錐部４７の内壁から離れ、弁口４６が開き、通気管４１からの酸素が、通気孔４２、先端口４３及び弁口４６を経て、ホイッスル室５５に流入し、絞りねじ３０からホイッスル２６に向けて噴出し、ホイッスル２６が警報音を発する。
【産業上の利用可能性】
【００４８】
本考案に係るガス残量警報器は、コンパクトであり、医療行為などの障害とならず、医療用呼吸器用のガス残圧警報器として好適である。
【符号の説明】
【００４９】
１…医療用呼吸器（呼吸器）
２…警報装置付医療用圧力調整器（圧力調整器）
３…酸素ボンベ
４…ボンベハンドル
５…ガス残量警報器（警報器）
６…酸素ヨーク
７…圧力計
８…圧力調整器本体
９…安全弁
１０…ガス吐出口
２１…継手
２２…プランジャ
２３…警報器本体
２４…Оリング
２５…カバー
２６…ホイッスル
２７…皿バネ
２８…Оリング
２９…Оリング
３０…絞りねじ
３１…Оリング
３２…Оリング
４１…通気管
４２…通気孔
４３…先端口
４５…弁座部
４６…弁口
４７…円錐部
４８…円錐台部
４９…シール材
５１…先端部
５２…胴部
５３…バネ受け部
５４…プランジャ室
５５…ホイッスル室
【図１】
0003206585.tif 000003
【図２】
0003206585.tif 000004
【図３】
0003206585.tif 000005
【図４】
0003206585.tif 000006
【図５】
0003206585.tif 000007
【図６】
0003206585.tif 000008
【図７】
0003206585.tif 000009
【図８】
0003206585.tif 000010